(57)【要約】警告装置が開示されている。本警告装置は、壁に取り付けられる収容体（１０）を含んでおり、該収容体（１０）は制御ユニットを含んでおり、本警告装置は人物の接近を検知して前記制御ユニットの音声発生装置（２４）を作動させる接近センサ（１４）をさらに有しており、音声警告メッセージを再生することが望ましい。
2006506699.tif 000002
【特許請求の範囲】
【請求項１】
壁に取り付けられるか、あるいは壁に取り付けるように設計された警告装置であって、本警告装置は、壁に取り付ける、あるいは取り付けるための収容体を含んでおり、該収容体は制御ユニットを含んでおり、本警告装置は人物の接近を検知して前記制御ユニットの音声発生装置を作動させる接近センサをさらに有していることを特徴とする警告装置。
【請求項２】
制御ユニットは、音声発生装置を通じてメッセージを再生するように設計されていることを特徴とする請求項１記載の警告装置。
【請求項３】
制御ユニットは複数の音声メッセージを保存するように設計されており、どの保存メッセージを再生するかを決定するための選別機が提供されていることを特徴とする請求項２記載の警告装置。
【請求項４】
新しいメッセージの記録を可能にする手段を含んでいることを特徴とする請求項２又は３記載の警告装置。
【請求項５】
人物の接近を検知する接近センサに反応して作動するフラッシュライトをさらに含んでいることを特徴とする請求項１から４のいずれかに記載の警告装置。
【請求項６】
収容体は、閉鎖位置でロックされ、またロック解除でき、制御ユニットの制御パネルにアクセスするために開けることができるフロントカバーを含んでいることを特徴とする請求項１から５のいずれかに記載の警告装置。
【請求項７】
収容体を壁に取り付けるためのネジ孔は、前記収容体のフロントカバーが開けられた時のみアクセスできることを特徴とする請求項６記載の警告装置。
【請求項８】
フロントカバーには一対のスロット部が提供され、これらに警告又は安全表示体の両片側をそれぞれ差し込むことができ、前記フロントカバーが閉められている時は、前記表示体は保持されることを特徴とする請求項６又は７記載の警告装置。
【請求項９】
再生する音声メッセージの選択は、制御パネルを通じてなされることを特徴とする請求項３に追加された請求項６から８のいずれかに記載の警告装置。
【請求項１０】
メッセージの再生後、接近センサがそのメッセージの次回の再生を許可されるまでの期間を決定すべく制御パネルが設計されていることを特徴とする請求項２から４のいずれかに追加された請求項６から８のいずれかに記載の警告装置。
【発明の詳細な説明】
【技術分野】
【０００１】
本発明は、保護区域に接近あるいは侵入する者に警告を与える警告装置に関する。
【背景技術】
【０００２】
特に安全上の理由で、特定の区域に接近あるいは侵入する者に警告を与えることが望ましい状況がある。
【発明の開示】
【発明が解決しようとする課題】
【０００３】
保護区域に接近する者に対して効果的に警告する警告装置を発明した。
【課題を解決するための手段】
【０００４】
本発明は、壁に取り付けられるか、あるいは壁に取り付けるように設計された警告装置を提供する。本警告装置は、壁に取り付ける、あるいは取り付けるための収容体を含んでおり、収容体は制御ユニットを含んでおり、警告装置は人物の接近を検知して制御ユニットの音声発生装置を作動させる接近センサを有している。
【０００５】
制御ユニットは、音声発生装置を通じてメッセージを再生するように設計されていることが望ましい。制御ユニットは多くの音声メッセージを保存しており、どのメッセージを使用するかを決定するための選別機が提供されていることが望ましい。警告装置は新しいメッセージの記録を可能にする手段を含んでいることが望ましい。
【０００６】
警告装置は人物の接近を検知する接近センサに反応して作動するフラッシュライトを含むこともできる。
【０００７】
警告装置の収容体は、閉鎖位置でロックされ、またロック解除でき、装置の制御パネルにアクセスするために開けることができるフロントカバーを含んでいることが望ましい。再生されるメッセージは制御パネルを通じて選択される。また、「休止期間」すなわち、メッセージ再生後の接近センサが次のメッセージ再生を許可される前の期間、の長さは制御パネルを通じて選択される。
【０００８】
収容体を壁に取り付けるためのネジ孔は、収容体のフロントカバーが開けられた時のみアクセスできることが望ましい。
【０００９】
警告装置は収容体内のバッテリーによって作動されることが望ましい。バッテリーは取り替え可能か充電可能であることが望ましい。
【００１０】
フロントカバーには一対のスロット部が提供され、これらに警告又は安全表示体の両片側をそれぞれ差し込むことができることが望ましい。この場合、フロントカバーが閉められている時は、表示体は保持される。
【発明を実施するための最良の形態】
【００１１】
本発明の実施例を添付の図面を利用して説明する。
【００１２】
壁面に取り付けるように設計された、一般的には平坦で長方形の収容体１０を含んだ、壁付用警告装置が図示されている。収容体１０はその上端に、雨から装置を守るための前方に突出したフード部１２を有する。接近センサ１４は収容体１０の下端に取り付けられている。
【００１３】
収容体１０にはフロントカバー１６が提供されており、収容体の下端に沿って回動式に取り付けられている。ロック部１８はフロントカバーをその閉鎖位置でロックする。収容体１０内及びフロントカバー１６の背後には制御パネル２０、充電式バッテリー２２及び電子制御ユニット（図示せず）が取り付けられている。
【００１４】
警告装置の保護区域に人物が接近すると、接近センサ１４が制御ユニットに記録された音声メッセージを再生させる。このメッセージは収容体前部にある防水格子部２４の後方に取り付けられた拡声器で再生される：閃光ライト２６も同時に作動される。
【００１５】
制御ユニットは８種までのメッセージを保存できるように設計されており、使用者は制御パネルを通じて再生するメッセージを選択することができる。
【００１６】
それぞれのメッセージ再生の後、（接近センサの作動に反応して）再度メッセージが再生されるまでの間、例えば０秒から１時間の遅れ（制御パネルを通じて選択できる）を存在させることができる。つまり、操作の全サイクルは、検知、メッセージ再生、メッセージ遅れ、検知・・・等である。
【００１７】
収容体１０の後部には収容体を壁に取り付けるためのネジ孔が提供されている（フロントカバー１６が空いている時のみアクセスできる）。装置にはさらに動作センサ（図示せず）が提供されており、許可されていない人物が装置を動かした時に音声アラームを提供するように設計されている：音声アラームは音声メッセージと同じ拡声器で再生されることが望ましい。
【００１８】
収容体のフロントカバー１６には一対のスロット部２８が形成されており、これらに２００ｍｍ×１５０ｍｍの安全表示体の両片側がそれぞれ差し込まれる：フロントカバーが閉められてロックされている時は、表示体はその位置に保たれ、外すことは難しい。
【００１９】
前述の警告装置は壁の都合の良い高さに取り付ければよく、接近する人物に効果的な警告を提供し、警告装置は許可された人物または乗物の通行を妨げないようにする。
【００２０】
バリヤを形成するため、警告装置とその他の構造物とをリンクさせるように、１本あるいはそれ以上のテープやその他の長形の柔軟な要素を利用することもできる。例えば、エレベータの故障中は、警告装置をエレベータの片側の壁上に取り付け、テープ又は柔軟要素をエレベータのドアを横切って延ばし、警告装置に音声警告メッセージを提供させ、バリヤを提供する。特に、警告装置に１本又はそれ以上の自動巻き取りテープユニットを含ませ、必要なときにテープを引き出すようにすることができる。
【図面の簡単な説明】
【００２１】
【図１】図１は、本発明による壁取り付け用警告装置の前方図である。
【図２】図２は、フロントカバーを開けた状態の図１の警告装置の前方図である。
【図１】
2006506699.tif 000003
【図２】
2006506699.tif 000004
【国際調査報告】
2006506699.tif 000005
2006506699.tif 000006
2006506699.tif 000007